(57)【特許請求の範囲】
【請求項１】
指針と、この指針が回動する回動領域を備えるとともに文字や記号などの表示部を備えた文字板と、前記回動領域に対応する前記文字板が露出する開口を備えるとともに前記回動領域以外の前記文字板を視認可能に積層して覆う光透過性部材とを備え、前記表示部を前記文字板の前記光透過性部材との対向面の少なくとも一部に設けたことを特徴とする計器。
【請求項２】
前記光透過性部材に光を供給する光透過性部材照明用光源を設けたことを特徴とする請求項１に記載の計器。
【請求項３】
前記光透過性部材照明用光源を前記文字板の可視範囲外に設けたことを特徴とする請求項２に記載の計器。
【請求項４】
前記開口の近傍に突出部を設けたことを特徴する請求項１から請求項３のいずれかに記載の計器。
【請求項５】
前記突出部を照明する光源を設けたことを特徴とする請求項４に記載の計器。
【請求項６】
前記光源が前記文字板の背面側に設けられるとともに、前記文字板の前記回動領域の少なくとも一部に前記表示部を設け、この表示部を透過照明することを特徴とする請求項５に記載の計器。
【請求項７】
前記文字板の前記光透過性部材との対向面に設けた前記表示部に対応する前記光透過性部材の部分に拡大表示変換部を設けたことを特徴とする請求項１から請求項６のいずれかに記載の計器。
【請求項８】
前記拡大表示変換部は、前記光透過性部材の前記文字板との対向面に形成した凹部内に前記文字板側に突出した凸部を設けて形成されることを特徴とする請求項７記載の計器。
【請求項９】
前記文字板の前記光透過性部材との対向面を明度の高い色を施したことを特徴とする請求項１から請求項８のいずれかに記載の計器。
【請求項１０】
前記光透過性部材を合成樹脂にて形成したことを特徴とする請求項１または請求項９のいずれかに記載の計器。
【発明の詳細な説明】
【０００１】
【発明の属する技術分野】
本発明は、車両用計器に関する。
【０００２】
【従来の技術】
従来の計器としては、特開平１１−２０８３１１号公報や特開平１１−３１４５３９号公報や特開２０００−２８０７９２号公報などで示されているものがある。前記各公報の計器は、文字板と見返しが設けられている。文字板には例えば、速度計、回転計、燃料計および水温計などの指針式計器が設けられ、これら計器の前方には、指針が設けられている。また、文字板の前面に配置される見返しには、文字板上の表示部に対応して開口が形成され、表示部を露出するとともに計器以外を覆うように構成されている。
【０００３】
【発明が解決しようとする課題】
前記従来例の計器において、見返しの材質は遮光性の合成樹脂であり、変化がなく、普遍的であった。そこで、本発明は、斬新な意匠を備えた計器を提供することを目的とするものである。
【０００４】
【課題を解決するための手段】
本発明は前記目的を達成するため、指針と、この指針が回動する回動領域を備えるとともに文字や記号などの表示部を備えた文字板と、前記回動領域に対応する前記文字板が露出する開口を備えるとともに前記回動領域以外の前記文字板を視認可能に積層して覆う光透過性部材とを備え、前記表示部を前記文字板の前記光透過性部材との対向面の少なくとも一部に設けたものである。
【０００６】
また、前記光透過性部材に光を供給する光透過性部材照明用光源を設けたものである。
【０００７】
また、前記光透過性部材照明用光源を前記文字板の可視範囲外に設けたものである。
【０００９】
また、前記開口の近傍に突出部を設けたものである。
【００１０】
また、前記突出部を照明する光源を設けたものである。
【００１１】
また、前記光源が前記文字板の背面側に設けられるとともに、前記文字板の前記回動領域の少なくとも一部に前記表示部を設け、この表示部を透過照明するものである。
【００１２】
また、前記文字板の前記光透過性部材との対向面に設けた前記表示部に対応する前記光透過性部材の部分に拡大表示変換部を設けたものである。
【００１３】
また、前記拡大表示変換部は、前記光透過性部材の前記文字板との対向面に形成した凹部内に前記文字板側に突出した凸部を設けて形成されるものである。
【００１４】
また、前記文字板の前記光透過性部材との対向面を明度の高い色を施したものである。
【００１５】
また、前記光透過性部材を合成樹脂にて形成したものである。
【００１６】
【発明の実施の形態】
本発明の計器は、指針２と、この指針が回動する回動領域を備えるとともに文字や記号などの計器用表示部１８や警告表示部７を備えた文字板８と、前記回動領域に対応する文字板８が露出する開口２４を備えるとともに前記回動領域以外の文字板８を視認可能に積層して覆う光透過性部材９とを備え、警告表示部７を文字板８の光透過性部材９との対向面の少なくとも一部に設けたものである。このように構成したことにより、斬新な意匠を備えた計器を提供することができる。
【００１８】
また、光透過性部材９に光を供給する光透過性部材照明用光源３８を設けたものである。このように構成したことにより、斬新な意匠を備えた計器を提供することができる。
【００１９】
また、光透過性部材照明用光源３８を文字板８の可視範囲外に設けたものである。このように構成したことにより、斬新な意匠を備えた計器を提供することができる。
【００２１】
また、開口２４の近傍に突出部２６を設けたものである。このように構成したことにより、斬新な意匠を備えた計器を提供することができる。
【００２２】
また、突出部２６を照明する光源３６を設けたものである。このように構成したことにより、斬新な意匠を備えた計器を提供することができる。
【００２３】
また、光源３６が文字板８の背面側に設けられるとともに、文字板８の前記回動領域の少なくとも一部に計器用表示部１８を設け、この計器用表示部１８を透過照明するものである。このように構成したことにより、斬新な意匠を備えた計器を提供することができる。
【００２４】
また、文字板８の光透過性部材９との対向面に設けた警告表示部７に対応する光透過性部材９の部分に拡大表示変換部２９を設けたものである。このように構成したことにより、斬新な意匠を備えた計器を提供することができる。
【００２５】
また、拡大表示変換部２９は、光透過性部材９の文字板８との対向面に形成した凹部３０内に文字板８側に突出した凸部３１を設けて形成されるものである。このように構成したことにより、斬新な意匠を備えた計器を提供することができる。
【００２６】
また、文字板８の光透過性部材９との対向面である第２の背景部２０に明度の高い色を施したものである。このように構成したことにより、前記文字板の前記光透過性部材との対向面に異物が存在しても、異物を目立たなくすることが可能となり、さらに、斬新な意匠を備えた計器を提供することができる。
【００２７】
また、光透過性部材９を合成樹脂にて形成したものである。このように構成したことにより、安価で斬新な意匠を備えた計器を提供することができる。
【００２８】
【実施例】
以下図面を用いて本発明の実施例を説明する。図１から図４は、本発明の第１実施例を示すものである。
【００２９】
計器１は、複数の表示項目を備えた通称コンビネーションメータと呼ばれる計器である。本実施例では、指針２を有する指針式計器３，４，５が３つと、液晶表示素子からなる表示器式計器６が１つと、車両情報を表示するシンボルマークなどからなる複数の警告表示部（表示部）７とを備えている。指針式計器は、図１中左から、エンジン回転計３、車両速度計４、燃料計５である。表示器式計器６は、車両の走行距離情報を数値で表示するものである。また、警告表示部７は、後述する警告表示部用光源で透過照明されるものである。
【００３０】
図２において、本実施例の計器１は、指針２、文字板８、光透過性部材９、ケース体１０、回路基板１１、計器ムーブメント１２、バイザー１３、透明カバー１４とを有している。
【００３１】
指針２は、回路基板１１上の指針照明用光源１５の光を受けて発光する透光性材料からなる線状の指示部２ａと、この指示部２ａの回動中心を覆う遮光性の指針キャップ２ｂとで構成され、各計器ムーブメント１２の回動軸１６に装着されている。指針２は、指針式計器３、４、５の種別に応じて、大きさは異なるものの、その構造は同一である。
【００３２】
文字板８は一枚であり、指針２の背後（図２中下側）に配置されている。合成樹脂からなる光透過性基板１７に、前述した指針式計器３、４、５や警告表示部７などの意匠を形成する印刷層で構成されている。
【００３３】
光透過性基板１７は、比較的柔らかく、図面ではかなりの厚みを有するように描かれているが、実際はかなり薄いものである。また、前記印刷層は、スクリーン印刷などの適宜手段により形成されるものであり、本実施例では、紫外線にて硬化するインクを使用している。
【００３４】
各指針式計器３、４、５には、それぞれ、各計器３、４、５の意匠を構成する文字や目盛りや記号などの計器用表示部（表示部）１８と、この計器用表示部１８以外の背景部１９とを備えている。本実施例では、計器用表示部１８は光透過性の印刷層で形成され、背景部１９は遮光性の印刷層で形成されている。計器用表示部１８は白色で、背景部１９は暗色で、本実施例では、黒色である。計器用表示部１８は、後述する光源にて透過照明されるようになっている。なお、場合によっては、計器用表示部１８を遮光性の印刷層で形成し、背景部１９を光透過性の印刷層で形成したものであっても良い。
【００３５】
また、計器用表示部１８と背景部１９で構成される領域は、指針２が回動する回動領域である。この領域は、計器３においては、表示器式計器６を備えているために板蒲鉾形であり、ほかの計器４、５は円形である。そして、回動領域である計器用表示部１８と背景部１９の表面は、その表面での外部からの光による不快な光の反射を抑えるために、図示しない微細な凹凸が設けられている。
【００３６】
また、文字板８には、計器用表示部１８と背景部１９で構成される回動領域をのぞく第２の背景部２０が形成されている。この第２の背景部２０に、前述した警告表示部７が設けられている。第２の背景部２０は背景部１９と同様に遮光性の印刷層で形成されており、警告表示部７は計器用表示部１８と同様に光透過性の印刷層で形成されている。警告表示部７は、後述する警告表示用光源にて透過照明されるようになっている。第２の背景部２０の色は、明度の高い灰色で、警告表示部７は、その警告の種類に最適な色である。例えば、ハイビームであれば青色、エンジンオイル警告では赤色などである。
【００３７】
また、文字板８の回動領域の近傍で、各指針式計器３、４、５の目盛り（表示部）に沿って、Ｃの字状の光透過部２１を備えている。この光透過部２１は後述する光透過性部材９に設けた突出部に対応するように形成されている。光透過部２１は、後述する光源（計器用表示部１８を照明する光源と同一）にて透過照明されるようになっている。
【００３８】
なお、文字板８には、指針２と回転軸１６との連結を可能とする貫通孔２２を備えている。また、文字板８の表示器式計器６に対応する部分は、本実施例では、貫通した孔２３が設けられている。
【００３９】
光透過性部材９は板状であり、光透過性を有する合成樹脂によって形成されている。例えば、アクリル樹脂などが好適である。また、この光透過性部材９は、緑色の着色材が混入されており、淡い緑色に着色されている。なお、緑色に限定されるものではなく、青色などでも良い。この光透過性部材９は指針２の回動領域に対応する開口２４を備えており、この開口２４部分でのみ文字板８を露出するように形成されている。この開口２４以外の部分では、光透過性部材９は文字板８に重なっている。なお、本実施例においては、表示器式計器６の部分も光透過性部材９で覆われている。
【００４０】
光透過性部材９の開口２４の肉厚は、各指針式計器３、４、５の中心に向かうほど厚くなるように形成されており、光透過性部材９の第２の背景部２０に対応する部分の肉厚に比べて、厚く形成されている。これは、開口２４の厚み方向の肉厚を増すことで内面２５の面積を多く取り、この内面２５にて計器用表示部１８の反射像を視認することによって、光透過性部材９の存在を確認できるようにするためである。
【００４１】
光透過性部材９の開口２４の近傍で、かつ文字板８の光透過部２１に対応する部分には、突出部２６が形成されている。図１で示す突出部２６は、文字板８の光透過部２１と同一形状であり、図２，３で示すように、その断面形状は、その先端部２７が半円形である。なお、本実施例では、この突出部２６は連続したＣの字形状であるが、本実施例に限定されるものではなく、分断されたＣの字形状であっても良い。また、本実施例では施されてはいないが、突出部２６の表面に微細な凹凸を施しても良い。また、先端部２７の形状は半円形に限らず、例えば、断面形状が三角形などの平面の組み合わせでも良い。
【００４２】
また、光透過性部材９の文字板８との対向面であって、計器４の回動領域及び表示式計器６の周囲部分（図１中斜線部で示される部分）に、微細な凹凸からなる光拡散部２８が設けられている。また、図示していないが指針式計器３、５の周囲部分にも設けても良い。
【００４３】
また、光透過性部材９の文字板８の第２の背景部２０に設けられた警告表示部７に対応する部分には、警告表示部７を拡大表示するレンズの役割を果たす拡大表示変換部２９を備えている。この拡大表示変換部２９は、警告表示部７に対応する光透過性部材９部分に凹部３０と、この凹部３０内に、警告表示部７側に向けて突出する凸部３１とで構成されている。この凸部３１が、凸レンズのように作用し、警告表示部７を拡大表示することができる。また、このように構成することにより、光透過性部材９の拡大表示変換部２９に対応する部分の表面側は、平面となり、すっきりとした印象を与えることができる。
【００４４】
なお、この変形例として、図示していないが、光透過性部材９の拡大表示変換部２９に対応する部分の表面側に凸部を形成しても良い。この場合は、光透過性部材９に立体的な変化（凹凸）を与えることができる。
【００４５】
また、光透過性部材９の周囲の一部に、後述する回路基板１１に設けた光透過性部材照明用光源からの光を取り込む入光部３２を備えている。この入光部３２は柱状であり、光透過性部材９に適宜個数形成されている。
【００４６】
ケース体１０は白色の合成樹脂によって形成され、回路基板１１と文字板８との間に配置され文字板８を背後から支持している。回動軸１６の周囲に筒部３３と、この筒部３３の外側に反射部３４と、警告表示部７の照明室３５とを備えている。
【００４７】
回路基板１１は、紙フェノール系またはガラスエポキシ系の材料にて形成される硬質の一枚基板からなる。また回路基板１１には、図２にも示すように、保持体３と後述する計器ムーブメント１２とが搭載される他、指針２を照明する指針照明用光源１５、文字板８の計器用表示部１８と光透過部２１を照明する光源３６、警告表示部７を照明する警告表示用光源３７、及び光透過性部材９を照明する光透過性部材照明用光源３８が搭載されている。これら光源１５，３６，３７，３８は発光ダイオードである。また、回路基板１１には、計器ムーブメント１２を駆動制御する制御手段を構成する図示しない回路素子なども搭載されている。
【００４８】
計器ムーブメント１２は、各計器３、４、５の種別とは無関係に同一構造のムーブメントが使用され、本実施例においては、ステッピングモータを採用している。また、それらの全てが前記制御手段を通じて駆動制御されるようになっている。
【００４９】
バイザー１３は遮光性の合成樹脂からなり、本実施例においては、黒色である。バイザー１３は、図２で示す文字板８より上の部分が筒形状であり、文字板８より下の部分は、部分的に下方に延長形成された取り付け部である。また、バイザー１３は文字板８の可視範囲を規定するものである。前述の光透過性部材９の入光部３２や光透過性部材照明用光源３８は、バイザー１３にて隠蔽された可視範囲外に設けられている。
【００５０】
透明カバー１４は、透光性を有する合成樹脂により、計器１の文字板８や光透過性部材９を透視可能に覆っている。
【００５１】
以上のように構成したことにより、斬新な意匠を備えた計器１を提供することができる。
【００５２】
また、光透過性部材９を照明することにより、従来にない斬新な意匠の計器１を提供することができる。
【００５３】
また、光透過性部材９に光拡散部２８を設けたことにより、光拡散部２８を設けた光透過性部材９の任意の位置を発光させることができ、従来にない斬新な意匠の計器１を提供することができる。
【００５４】
また、光透過性部材９の開口２４の近傍に突出部２６を設けたことにより、文字板８の計器３、４、５の意匠に、立体的な変化を与えることができ、従来にない斬新な意匠の計器１を提供することができる。
【００５５】
また、突出部２６を照明する光源３６を設けたことにより、突出部２６が照明され、従来にない斬新な意匠の計器１を提供することができる。
【００５６】
また、文字板８の光透過性部材９との接触面である第２の背景部２０を明度の高い色としたことにより、文字板８と光透過性部材９との間に塵埃などが侵入した場合でも、第２の背景部２０の色の明度が高いために、塵埃などが目立たなくなり、高級感を損なわない計器１を提供することができる。
【００５７】
また、光透過性部材９を薄い緑色や青色の着色材を混入して形成したことにより、ガラス感を得ることができるとともに、合成樹脂で形成したことにより、安価で、軽量であるとともに、斬新な意匠の計器１を提供することができる。
【００５８】
なお、本実施例では、光透過性部材９は文字板８のほぼ全面に積層する構造であるが、例えば、図５、６に示す第２実施例のように、計器４の周囲のみに光透過性部材３９を積層配置するような構造であっても良い。
【００５９】
【発明の効果】
以上、本発明によれば、所期の目的を達成することができ、斬新な意匠を備えた計器を提供することができる。
【図面の簡単な説明】
【図１】本発明の第１実施例の正面図である。
【図２】図１中のＡ−Ａ線の断面図である。
【図３】同実施例の要部拡大断面図である。
【図４】図１中のＢ−Ｂ線の断面図である。
【図５】本発明の第２実施例の正面図である。
【図６】図５中のＣ−Ｃ線の断面図である。
【符号の説明】
１    計器
２    指針
２ａ  指示部
７    警告表示部（表示部）
８    文字板
９，３９  光透過性部材
１８    計器用表示部（表示部）
１９    背景部
２０    第２の背景部
２４    開口
２６    突出部
２８    光拡散部
２９    拡大表示変換部
３０    凹部
３１    凸部
３６    光源
３８    光透過性部材照明用光源
【図１】
0003747461.tif 000002
【図２】
0003747461.tif 000003
【図３】
0003747461.tif 000004
【図４】
0003747461.tif 000005
【図５】
0003747461.tif 000006
【図６】
0003747461.tif 000007